(57)【要約】【課題】構造が簡素で、インターホン機器の更なる小型化・薄型化を図ることができるインターホン機器におけるボタンの取付構造を提供する。【解決手段】ボタン３を通常姿勢から起立姿勢へと回動させるにあたり、テーパ部１９と引き出しリブ部３５とが当接してからさらに起立姿勢側へ回動させると、引き出しリブ部３５がテーパ部１９に沿って相対的に本体ケース１０の内部側へ移動し、ボタン３が、その回動軸中心を本体ケース１０の表面側へ移動させながら回動した後、凹部２０内へ薄肉面３２が入り込んで起立姿勢となるようにした。【選択図】図８
2014107815.tif 000002
【特許請求の範囲】
【請求項１】
本体ケースに、第１のスイッチと第２のスイッチとが内蔵されているとともに、前記本体ケースの表面に、押し込み操作によって前記第１のスイッチをＯＮ／ＯＦＦ操作するボタンが枢着されたインターホン機器において、前記ボタンを、前記第２のスイッチを被覆した状態で前記第１のスイッチをＯＮ／ＯＦＦ操作可能な通常姿勢と、前記本体ケースの前面に対して起立して前記第２のスイッチを操作可能に露出させる起立姿勢との間で回動自在に取り付けるためのインターホン機器におけるボタンの取付構造であって、
前記ボタンに、前記通常姿勢において前記第２のスイッチを被覆するカバー体と、前記カバー体から所定方向へ突出する腕部とを備える一方、前記本体ケースに、前記腕部を挿通可能な挿通孔を穿設し、前記挿通孔を介して前記腕部を前記本体ケース内へ挿通させることにより、前記ボタンを取り付け可能とするとともに、
前記腕部の基端部で回動時に外周側となる面には、前記基端部側へ向かって徐々に薄肉となるようなテーパ部を、前記腕部の基端部で回動時に内周側となる面には、前記外周側へ凹んだ凹部を夫々設ける一方、前記挿通孔の内面で、前記ボタンの回動時に前記腕部の前記外周側となる面が対向する位置に、前記ボタンの回動時に前記テーパ部が当接可能な引き出しリブを突設するとともに、前記挿通孔における前記ボタンの回動時に前記腕部の前記内周側となる面が対向する面を、前記凹部内へ入り込み可能な掛止面とし、
前記ボタンを前記通常姿勢から前記起立姿勢へと回動させるにあたり、前記テーパ部と前記引き出しリブとが当接してからさらに前記起立姿勢側へ回動させると、前記引き出しリブが前記テーパ部に沿って相対的に前記本体ケースの内部側へ移動し、前記ボタンが、その回動軸中心を前記本体ケースの表面側へ移動させながら回動した後、前記凹部内へ前記掛止面が入り込むことによって前記起立姿勢となることを特徴とするインターホン機器におけるボタンの取付構造。
【発明の詳細な説明】
【技術分野】
【０００１】
本発明は、インターホン機器におけるボタンの取付構造に関するものである。
【背景技術】
【０００２】
従来、たとえばインターホン親機等といった一般的なインターホン機器には、押し込み操作可能なボタンが設置されている。また、たとえば特許文献１に開示されているように、押し込み操作可能なボタンの裏側に各種設定スイッチを設け、ボタンを本体ケースに対して起立させることにより、設定スイッチを操作可能としたインターホン機器も考案されている。
【０００３】
ここで、特許文献１に開示されているインターホン機器におけるボタンの取付構造について、図１１にもとづき簡略に説明する。図１１は、インターホン機器５１におけるボタン５２の取付構造を示した断面説明図である。
インターホン機器５１は、居室の壁面等に設置されて使用される所謂インターホン親機であって、その本体ケースを構成する前ケース５３の下部に、後方へ押し込み操作可能なボタン５２が枢着されている。ボタン５２の上端部には、後方側へ膨出するように湾曲した円弧状の腕部５４が設けられている一方、前ケース５３の後面には、側面視半円状の案内壁５５が設けられており、該案内壁５５の後面に上記腕部５４の前面が当接可能となっている。また、前ケース５３における案内壁５５の下方となる位置には、上記腕部５４を前ケース５３の前面側から挿通させるための挿通孔５６が開設されている。さらに、挿通孔５６の下縁には、後方側へ膨出するように湾曲しながら上方へ突出する支持壁５７が設けられている。当該支持壁５７は、案内壁５５と同心円状となる円弧状とされており、その前面に挿通孔５６へ挿通された腕部５４の後面が当接可能となっている。
【０００４】
上述したような構成を有するボタン５２は、前ケース５３の前面側から腕部５４の先端を挿通孔５６へ挿通させ、そのまま後方へ回動させることによって、腕部５４が案内壁５５と支持壁５７との間に挟まれた状態で前ケース５３に対して枢着される。そして、通常の使用時においては、ボタン５２は、その前面が前ケース５３の前面と略平行になる傾倒姿勢とされている一方、ボタン５２の裏側に設けられた図示しない設定ボタンを操作する際には、ボタン５２を上記傾倒姿勢から枢着軸周りに前方へ回動させ、ボタン５２の前面が前ケース５３の前面に対して起立する起立姿勢とするようになっている。
【先行技術文献】
【特許文献】
【０００５】
【特許文献１】特開２００５−４５７０４号公報
【発明の概要】
【発明が解決しようとする課題】
【０００６】
しかしながら、上記特許文献１に開示されている構造では、前ケース５３に案内壁５５や支持壁５７を設けなければならず、構造が複雑になってしまうという問題がある。また、近年、インターホン機器の更なる小型化・薄型化が要求されており、案内壁５５や支持壁５７を設けない新規な構造を考案する必要がある。
【０００７】
そこで、本発明は、上記問題に鑑みなされたものであって、案内壁や支持壁に相当する構成要素を設ける必要がなく、構造が簡素で、インターホン機器の更なる小型化・薄型化を図ることができるインターホン機器におけるボタンの取付構造を提供しようとするものである。
【課題を解決するための手段】
【０００８】
上記目的を達成するために、本発明のうち請求項１に記載の発明は、本体ケースに、第１のスイッチと第２のスイッチとが内蔵されているとともに、前記本体ケースの表面に、押し込み操作によって前記第１のスイッチをＯＮ／ＯＦＦ操作するボタンが枢着されたインターホン機器において、前記ボタンを、前記第２のスイッチを被覆した状態で前記第１のスイッチをＯＮ／ＯＦＦ操作可能な通常姿勢と、前記本体ケースの前面に対して起立して前記第２のスイッチを操作可能に露出させる起立姿勢との間で回動自在に取り付けるためのインターホン機器におけるボタンの取付構造であって、前記ボタンに、前記通常姿勢において前記第２のスイッチを被覆するカバー体と、前記カバー体から所定方向へ突出する腕部とを備える一方、前記本体ケースに、前記腕部を挿通可能な挿通孔を穿設し、前記挿通孔を介して前記腕部を前記本体ケース内へ挿通させることにより、前記ボタンを取り付け可能とするとともに、前記腕部の基端部で回動時に外周側となる面には、前記基端部側へ向かって徐々に薄肉となるようなテーパ部を、前記腕部の基端部で回動時に内周側となる面には、前記外周側へ凹んだ凹部を夫々設ける一方、前記挿通孔の内面で、前記ボタンの回動時に前記腕部の前記外周側となる面が対向する位置に、前記ボタンの回動時に前記テーパ部が当接可能な引き出しリブを突設するとともに、前記挿通孔における前記ボタンの回動時に前記腕部の前記内周側となる面が対向する面を、前記凹部内へ入り込み可能な掛止面とし、前記ボタンを前記通常姿勢から前記起立姿勢へと回動させるにあたり、前記テーパ部と前記引き出しリブとが当接してからさらに前記起立姿勢側へ回動させると、前記引き出しリブが前記テーパ部に沿って相対的に前記本体ケースの内部側へ移動し、前記ボタンが、その回動軸中心を前記本体ケースの表面側へ移動させながら回動した後、前記凹部内へ前記掛止面が入り込むことによって前記起立姿勢となることを特徴とする。
この構成によれば、従来の如く前ケースに案内壁や支持壁等を設けずとも、ボタンの腕部にテーパ部や凹部を設けるとともに、挿通孔内に引き出しリブを設けたり、挿通孔の上面を掛止面としたこと等によって、ボタンが、その回動軸を前方へ移動させながら、通常姿勢から起立姿勢へとスムーズに回動することになる。したがって、構造を簡素化することができるし、近年要求されているインターホン機器の更なる小型化・薄型化にも好適に対応することができる。
【発明の効果】
【０００９】
本発明によれば、従来の如く前ケースに案内壁や支持壁等を設けずとも、ボタンの腕部にテーパ部や凹部を設けるとともに、挿通孔内に引き出しリブを設けたり、挿通孔の上面を掛止面としたこと等によって、ボタンが、その回動軸を前方へ移動させながら、通常姿勢から起立姿勢へとスムーズに回動することになる。したがって、構造を簡素化することができるし、近年要求されているインターホン機器の更なる小型化・薄型化にも好適に対応することができる。
【図面の簡単な説明】
【００１０】
【図１】インターホン機器の前面側を示した説明図である。
【図２】ボタンが取り付けられた状態にある前ケースの要部を後面側から示した説明図である。
【図３】ボタンが取り外された状態にある前ケースのボタン取付部を前面側から示した説明図である。
【図４】（ａ）は、ボタンを前方側から示した説明図であり、（ｂ）は、ボタンを後方側から示した説明図、（ｃ）は、ボタンを左側から示した説明図である。
【図５】ボタンを起立姿勢とした状態を示した説明図である。
【図６】通常姿勢にあるボタンの要部断面を示した説明図である。
【図７】通常姿勢から起立姿勢へと回動する途中にあるボタンの要部断面を示した説明図である。
【図８】通常姿勢から起立姿勢へと回動する途中にあるボタンの要部断面を示した説明図である。
【図９】通常姿勢から起立姿勢へと回動する途中にあるボタンの要部断面を示した説明図である。
【図１０】起立姿勢にあるボタンの要部断面を示した説明図である。
【図１１】従来のボタン取付構造を示した説明図である。
【発明を実施するための形態】
【００１１】
以下、本発明の一実施形態となるインターホン機器におけるボタンの取付構造について、図面にもとづき詳細に説明する。
【００１２】
まず、インターホン機器１の全体的な構成について説明する。図１は、インターホン機器１の前面側を示した説明図である。
インターホン機器１は、所謂インターホン親機であって、前ケース２の下部には、押し込み操作可能に枢着された３つのボタン３、４、５が左右方向に並設されている。また、前ケース２の中央部には、来訪者の映像や各種設定画面等を表示するための表示部６や、音声を出力するためのスピーカ部７が設けられている。さらに、表示部６の上方や下方にも、種々の操作ボタン８、８・・が設けられている。そして、前ケース２の後面には、後ケース９が組み付けられて本体ケース１０が構成され、該本体ケース１０の内部には、上記表示部６やスピーカ部７等の各部の動作を制御したり、各種ボタンの操作を検出するスイッチが搭載されたりした種々の制御基板（図示せず）が設置されている。
【００１３】
次に、本発明の要部となるボタン３、５の取付構造について説明する。なお、ボタン３とボタン５とは、どちらも同じ取付構造により取り付けられており、以下ボタン３についてのみ説明する。
図２は、ボタン３が取り付けられた状態にある前ケース２の要部を後面側から示した説明図である。図３は、ボタン３が取り外された状態にある前ケース２のボタン取付部３１を前面側から示した説明図である。図４（ａ）は、ボタン３を前方側から示した説明図であり、図４（ｂ）は、ボタン３を後方側から示した説明図、図４（ｃ）は、ボタン３を左側から示した説明図である。である。図５は、ボタン３を起立姿勢とした状態を示した説明図である。
【００１４】
ボタン３は、板状のカバー体１１と、カバー体１１の上端部から上方へ突設された一対の腕部１２、１２とからなる。カバー体１１は、上下方向へ長い略矩形の合成樹脂製板状体であって、下端部は後方へ折り曲げられている。また、カバー体１１の後面には、取り付けられた状態にあるボタン３の上下方向へのがたつきを防止するための半円状の突起１３、１３や、前ケース２側に設けられた弾性片３９を後方へ押し込む操作突起１４等が設けられているとともに、使用者が押し込み操作した際に支点となる支点凸部１５、１５等が設けられている。さらに、ボタン３の折り曲げ部の裏面には、ボタン３を通常の操作姿勢（ボタン３を後方へ押し込み操作することによって図示しない第１のスイッチがＯＮ／ＯＦＦ操作される姿勢であって、図１に示す姿勢）で保持するための係止部２５、２５や、通常の操作姿勢においてボタン３の左右方向へのがたつきを防止するための突条部２６、２６が設けられている。
【００１５】
一方、各腕部１２は、左右方向に並設された３つのリブ片１６、１７、１８からなる。各リブ片１６、１７、１８は、いずれもカバー体１１の後面に対して後方へ起立する姿勢で設けられており、各リブ片１６、１７、１８の後部基端側（腕部１２の基端部で回動時に外周側となる面）には、下方へ向かって徐々に後方への突出高さが低くなる（腕部１２の前後方向での厚みが薄肉となる）テーパ部１９が設けられている。また、各リブ片１６、１７、１８も前部基端側でカバー体１１の上縁に隣接した部位（腕部１２の基端部における回動時に内周側となる面）は、後方へ凹んだ凹部２０となっており、後述の如くボタン３を回動させて前ケース２に対して起立姿勢とする際に、前ケース２に形成された薄肉面３２が入り込み可能となっている。
【００１６】
さらに、中央のリブ片１７と外側のリブ片１８とは、その上端部の前面側同士が連結されており、該連結部の前面下端には、前ケース２に取り付けられた状態において前ケース２の後面に当接して、ボタン３の前後方向でのがたつきを防止する挟持リブ２１が設けられている。また、外側のリブ片１８の外側面で上端際となる位置には、ボタン３を前ケース２に対して起立姿勢とした際に前ケース２の後面側に当接し、起立姿勢でのボタン３の前後方向へのがたつきを防止するがたつき防止凸部２２が外方へ突設されている。さらにまた、外側のリブ片１８の外側面で基端際となる位置には、前ケース２に取り付けられた状態において後述する挿通孔３３の内面に当接し、通常姿勢及び起立姿勢の両姿勢においてボタン３の左右方向へのがたつきを防止する凸条部２３が外方へ突設されている。加えて、内側のリブ片１６は、外側のリブ片１８とは異なり、その先端部において中央のリブ片１７と連結されておらず、左右方向へ撓むことができるようになっている。また、内側のリブ片１６の先端部における内側面には、ボタン３を前ケース２に対して起立姿勢とした際に前ケース２の前面側に当接して上記がたつき防止凸部２２とにより起立姿勢にあるボタン３を前後から挟み込み、ボタン３の前後方向でのがたつきを防止するがたつき防止突起２４が内側へ突設されている。
【００１７】
一方、前ケース２の下部には、ボタン３を取り付けるためのボタン取付部３１が設けられている。該ボタン取付部３１は、前ケース２の前面よりも後方へ凹んだ凹状に形成されており、その上端部には、ボタン３の腕部１２、１２を挿通可能な一対の略矩形の挿通孔３３、３３が穿設されている。各挿通孔３３の内面でボタン取付部３１の中央寄りとなる側辺部から下辺部（挿通孔３３の内面で、ボタン３の回動時に腕部１２の外周側となる面が対向する位置）にかけては、略Ｌ字状のリブ片が挿通孔３３の内方へ突設されており、側辺部側の箇所は、その前面にがたつき防止突起２４が当接可能ながたつき防止リブ部３４として機能する一方、下辺部側の箇所は、ボタン３を回動させる際に内側のリブ片１６のテーパ部１９と当接する引き出しリブ部３５として機能する。また、各挿通孔３３の上面（挿通孔３３の内面で、ボタン３の回動時に腕部１２の内周側となる面が対向する面）は、ボタン３の各腕部１２における凹部２０、２０・・内へ入り込み可能な厚みとされた薄肉面３２となっている。さらに、挿通孔３３、３３間には、ボタン３を取り付けた状態において支点凸部１５、１５が当接する当接部３６、及び緩衝部材（図示せず）を貼着するための貼着部３７が設けられている。さらにまた、ボタン取付部３１内には、本体ケース１０に内蔵された基板上に搭載された第２のスイッチ（図示せず）を露出させるための操作窓３８や、ボタン３の押し込み操作に伴い操作突起１４によって後方へ押し込まれ、基板上に搭載された第１のスイッチを操作する弾性片３９、ボタン３の係止部２５、２５が係止可能なクリック突起４０、４０が設けられている。加えて、通常の操作姿勢にあるボタン３の突条部２６、２６が当接し、ボタン３の左右方向へのがたつきを防止するがたつき防止リブ片４１、４１や、通常の操作姿勢にあるボタン３の突起１３、１３が当接し、ボタン３の上下方向へのがたつきを防止する突片４２、４２等も設けられている。なお、各挿通孔３３の左右方向幅は、各腕部１２における内側のリブ片１６から外側のリブ片１８までの左右幅（がたつき防止突起２４やがたつき防止凸部２２を含む）よりも若干狭くなっている。
【００１８】
以上のような構成を有するボタン３のボタン取付部３１への取り付けについて説明すると、前ケース２の前面側から腕部１２、１２の先端を夫々対応する挿通孔３３、３３へ押し込むようにして挿通させる。すると、内側のリブ片１６、１６が夫々外側へ撓みながら腕部１２、１２が挿通孔３３、３３内へ進入し、前ケース２の後面側へ突出する。その後は、腕部１２、１２の形状に沿ってボタン３を前ケース２に対して下方へ回動させ、最終的に係止部２５、２５をクリック突起４０、４０に係止させれば、図１に示すような通常の操作姿勢でボタン３が前ケース２に枢着されることになる。そして、そのような通常姿勢では、ボタン３を押し込み操作することで弾性片３９が後方へ撓み、本体ケース１０に内蔵されている第１のスイッチがＯＮ／ＯＦＦ操作されることになる。
【００１９】
なお、該通常の操作姿勢では、操作窓３８はボタン３により被覆されており、操作窓３８内に露出する第２のスイッチをＯＮ／ＯＦＦ操作することはできない。また、通常の操作姿勢では、各腕部１２の外側のリブ片１８に設けられた凸条部２３が、各挿通孔３３内のＬ字状のリブが設けられていない側の側辺部に当接するとともに、ボタン３の突条部２６、２６が、がたつき防止リブ片４１、４１に対して外側から当接しており（すなわち、突条部２６、２６間にがたつき防止リブ片４１、４１が位置している）、ボタン３の左右方向へのがたつきが防止されている。さらに、通常の操作姿勢では、ボタン３の支点凸部１５、１５と挟持リブ２１とが前ケース２を前後から挟み込むような格好となっており、特にボタン３の押し込み操作時において前後方向でのがたつきが防止される。
【００２０】
ここで、操作窓３８内に露出する第２のスイッチをＯＮ／ＯＦＦ操作したい際には、ボタン３を通常姿勢から上方へ回動させて、図１０に示すような起立姿勢とし、操作窓３８を露出させる必要がある。このときのボタン３の操作、及びボタン３の動きを説明すると、まず図６に示すような通常姿勢にあるボタン３に対して押し込み操作方向とは逆方向、すなわちボタン３の取付方向とは逆方向へ負荷をかけ、係止部２５、２５とクリック突起４０、４０との係止を解除する。そして、そのままボタン３を上方へ回動させると、各腕部１２における内側のリブ片１６のテーパ部１９が引き出しリブ部３５に当接する（図７）。そこで、そのまま更に上方へボタン３を回動させようとすると、引き出しリブ部２５がテーパ部１９に沿って相対的に本体ケース１０内部側へ移動するような格好となり、ボタン３が前方へせり出てくる（図８）。そして、さらにボタン３を押し上げるように負荷をかけると、各腕部１２の凹部２０、２０・・内へ前ケース２の薄肉面３２が入り込みながらボタン３は上方へ回動を続け（図９）、最終的に起立姿勢となる（図１０）。すなわち、ボタン３の回動軸がテーパ部１９によって前方へ、凹部２０、２０・・内への薄肉面３２の入り込みによって上方へ夫々移動しながら、ボタン３は通常姿勢から起立姿勢へと回動することになる。
【００２１】
なお、起立姿勢とするにあたり、前ケース２の後方側にあった各腕部１２のがたつき防止突起２４は、挿通孔３３内を通って前ケース２の前方側へ抜け出す。そして、該がたつき防止突起２４が、がたつき防止リブ部３４の前面側（前ケース２の前面側）に当接するがたつき防止突起２４と、前ケース２の後面側に当接する各腕部１２のがたつき防止凸部２２とにより、前ケース２を前後から挟み込むことで、起立姿勢にあるボタン３の前後方向でのがたつきが防止されている。また、使用者による負荷を外した後もボタン３は起立姿勢のまま維持される。さらに、ボタン３を通常姿勢へと復帰させる際には、起立姿勢にあるボタン３に対して押し下げるような方向へ負荷をかければよい。すると、内側のリブ片１６が弾性変形してがたつき防止突起２４が挿通孔３３内へ進入した後、ボタン３は上記とは逆の動作をたどって最終的に通常姿勢となる。
【００２２】
以上のような構成を有するボタン３の取付構造によれば、従来の如く前ケース２に案内壁や支持壁等を設けずとも、ボタン３の腕部１２にテーパ部１９や凹部２０を設けるとともに、挿通孔３３内に引き出しリブ部３５を設けたり、挿通孔３３の上面を薄肉面３２としたこと等によって、ボタン３が、その回動軸を前方へ移動させながら、通常姿勢から起立姿勢へとスムーズに回動することになる。したがって、構造を簡素化することができるし、近年要求されているインターホン機器の更なる小型化・薄型化にも好適に対応することができる。
【００２３】
また、各腕部１２に、ボタン３が通常姿勢にある際に各挿通孔３３の側辺部に当接する凸条部２３を設けているため、通常姿勢におけるボタン３の左右方向へのがたつきを効果的に防止することができる。さらにまた、ボタン３に突条部２６、２６を、前ケース２側にがたつき防止リブ片４１、４１を夫々設けており、通常姿勢において突条部２６、２６が、がたつき防止リブ片４１、４１に対して外側から当接するようにしているため、ボタン３の左右方向へのがたつきを一層確実に防止することができる。
【００２４】
さらに、各腕部１２に、ボタン３が通常姿勢にある際に前ケース２の後面に当接する挟持リブ２１を設ける一方、ボタン３の後面に、通常姿勢にある際に前ケース２の前面側に当接する支点凸部１５、１５を設けているため、該挟持リブ２１と支点凸部１５、１５とにより前ケース２を前後から挟み込むことができ、特にボタン３の押し込み操作時において前後方向でのがたつきを防止することができる。
【００２５】
加えて、各腕部１２の先端部に、ボタン３が起立姿勢にある際に前ケース２の前面側に当接するがたつき防止突起２４と、前ケース２の後面側に当接するがたつき防止凸部２２とを設けているため、該がたつき防止突起２４とがたつき防止凸部２２とにより、前ケース２を前後から挟み込むことができ、起立姿勢においてもボタン３の前後方向でのがたつきを防止することができる。
【００２６】
なお、本発明に係るインターホン機器におけるボタンの取付構造は、上記実施形態の態様に何ら限定されるものではなく、インターホン機器の全体的な構成は勿論、ボタンの形状や腕部、挿通孔の構成等について、本発明の趣旨を逸脱しない範囲で、必要に応じて適宜変更することができる。
【００２７】
たとえば、上記実施形態では、ボタンを本体ケースの前面下部に設けているが、ボタンの位置は本体ケースの前面に限らないし、どの方向へ回動させて起立姿勢とするかについても適宜設計変更可能である。
また、上記実施形態では、内側のリブ片のテーパ部を引き出し防止リブ部に当接させているが、真ん中のリブ片や外側のリブ片に設けたテーパ部が引き出し防止リブ部と当接するように構成しても良く、必ずしも引き出しリブとがたつき防止リブとを一体形成する必要はない。
【００２８】
さらに、上記実施形態において腕部に設けている凸条部や挟持リブを始めとしたがたつき防止に係る各種突起やリブの有無についても適宜設計変更可能であるし、各腕部を３つのリブ片からなるものではなく、１つの柱状体として構成することも可能である。
さらにまた、上記実施形態では、通常姿勢においてボタンが第２のスイッチを露出する操作窓を被覆するとしているが、第２のスイッチをＯＮ／ＯＦＦ操作する別のボタンを被覆するといった構成としても何ら問題はない。
加えて、上記実施形態ではインターホン親機について説明しているが、本発明のインターホン機器は、本体ケースに押し込み操作するボタンが取り付けられてなるインターホン機器であれば、インターホン子機等の他のインターホン機器に対しても良好に適用することができる。
【符号の説明】
【００２９】
１・・インターホン機器、２・・前ケース、３・・ボタン、１０・・本体ケース、１１・・カバー体、１２・・腕部、１６・・内側のリブ片、１９・・テーパ部、２０・・凹部、３１・・ボタン取付部、３２・・薄肉面（掛止面）、３３・・挿通孔、３５・・引き出しリブ部（引き出しリブ）、３８・・操作窓。
【図１】
2014107815.tif 000003
【図２】
2014107815.tif 000004
【図３】
2014107815.tif 000005
【図４】
2014107815.tif 000006
【図５】
2014107815.tif 000007
【図６】
2014107815.tif 000008
【図７】
2014107815.tif 000009
【図８】
2014107815.tif 000010
【図９】
2014107815.tif 000011
【図１０】
2014107815.tif 000012
【図１１】
2014107815.tif 000013